(57)【要約】【課題】金属製品やプラスチック製品等の表面仕上げ加工における研磨作業を行う際、その作業に使用される研磨工具に貼付けられた研磨材の貼替え作業をなくし、作業効率の改善及びコストの削減を図る。【解決手段】表面仕上げ加工に使用される研磨工具であって、研磨装置のチャック部に取付ける支柱とその支柱の先端に連結される研磨用パットからなり、該研磨用パットの研磨面に研磨用の砥石を一体保持させた構成からなる。【選択図】図１
2005212086.tif 000002
【特許請求の範囲】
【請求項１】
表面仕上げ加工に使用される研磨工具であって、研磨装置のチャック部に取付ける支柱とその支柱の先端に連結される研磨用パットからなり、該研磨用パットの研磨面に研磨用の砥石を一体保持させたことを特徴とする研磨工具。
【請求項２】
前記砥石が工業用ダイヤ粉末であることを特徴とする請求項１に記載の研磨工具。
【請求項３】
前記研磨面に研磨かす除去用の溝を設けたことを特徴とする請求項１または請求項２に記載の研磨工具。
【請求項４】
前記溝の形状を流線形状としたことを特徴とする請求項３に記載の研磨工具。
【発明の詳細な説明】
【技術分野】
【０００１】
本発明は、金属製品やプラスチック製品等の表面仕上げ加工における研磨作業に使用される研磨工具に関するものである。
【背景技術】
【０００２】
金属製品やプラスチック製品等の表面仕上げ加工において、研磨工具を使用しての研磨作業が行われる。係る研磨作業に使用される研磨工具として、従来、研磨装置のチャック部に取付けられる支柱の先端に研磨用パットが連結され、該研磨用パットの研磨面に専用の研磨材を貼付けた研磨工具が一般的に使用されている。そしてまた、その研磨材としてサンドペーパーが一般的に用いられている。係る研磨工具によれば、研磨作業の結果、研磨材が機能を果たさなくなった場合に、研磨用パットの研磨面に貼付けられた研磨材を貼替えるだけで、また新たな作業が可能となることからコスト面において有益であると考えられてきた。
【０００３】
しかしながら、上記従来の研磨工具で実際に研磨作業を行ってみると、研磨用パットの研磨面に貼付けられた研磨材は、研磨工具の回転により作業中に剥れてしまうケースが多々ある。係る場合、まだ使用可能であった剥れた研磨材を無駄にして新しい研磨材を新たに貼付ける必要が生じてしまって、結局コスト面において不利益を生じ、また、作業効率の悪化につながるといった問題があった。
【０００４】
係る問題を解決するため、研磨材を貼付けるための接着剤を強化することも考えられるが、それでは該研磨材の貼替え作業に手間が掛かることとなり、研磨工具を上記従来の構成にする意味が失われてしまう。接着剤を強化しても、研磨材の表面に工業用ダイヤ粉末を付着させ該研磨材の耐久性を向上させることで、貼替え作業の回数を減らすことも可能であるが、工業用ダイヤ粉末を付着させたサンドペーパー等の研磨材は高価であり、コスト面で不利益となる。また、本来、前記支柱とその支柱の先端に連結される研磨用パットからなる研磨工具自体が、それほど高価なものではなく、安価に製作が可能である。
【特許文献１】特開２００１‐１１３４５２
【特許文献２】特開平８‐１３２３４９
【発明の開示】
【発明が解決しようとする課題】
【０００５】
本発明は、上記問題点に鑑み、研磨用パットの研磨面に研磨用の砥石を一体保持させることで、作業効率の改善を図り、かつ、コストの削減を実現することが可能である研磨工具を提供することを目的とする。
【課題を解決するための手段】
【０００６】
前記目的を達成するため、本発明は、表面仕上げ加工に使用される研磨工具であって、研磨装置のチャック部に取付ける支柱とその支柱の先端に連結される研磨用パットからなり、該研磨用パットの研磨面に研磨用の砥石を一体保持させた構成となっている。
【０００７】
また、本発明は、前記砥石を工業用ダイヤ粉末にする構成を採用することができる。
【０００８】
さらに、本発明は、前記研磨面に研磨かす除去用の溝を設けた構成とすることもできる。
【０００９】
またさらに、本発明は、前記溝の形状を流線形状とした構成とすることもできる。
【発明の効果】
【００１０】
本発明の研磨工具によれば、研磨用パットの研磨面に既に研磨材として砥石が一体保持されていることから、研磨材の貼替え作業が不必要となり、作業効率の改善が図られる。
【００１１】
また、実際の研磨作業において、研磨用パットから研磨材が剥れることも無くなり、作業効率の向上が図られ、さらには、コストの削減にもつながり、非常に有益である。
【発明を実施するための最良の形態】
【００１２】
以下、本発明による研磨工具の実施例を図面に基づいて説明する。
【実施例】
【００１３】
図１は、本発明に係る研磨工具Ｍを示す斜視図である。該研磨工具Ｍは、研磨装置のチャック部に取付ける支柱１と該支柱１の先端に連結される研磨用パット２とから構成される。
【００１４】
支柱１の形状は一般的な支柱と同様に円筒形の棒状であるが、これに限定されるものではなく、研磨装置のチャック部に取付け可能であれば、多角柱形の棒状であってもよい。また、材質も一般的な支柱と同様に金属製であるが、これに限定されるものではなく、研磨作業における回転に耐えうるものであれば材質を問わない。
【００１５】
研磨用パット２の材質としては、合成樹脂やゴムなどが使用される。また、研磨パット２の研磨面の形状は円形であり、支柱１の先端と連結する部分は該支柱１の先端を被覆するような形状となっている。
【００１６】
図２は、本発明に係る研磨工具Ｍの支柱１と研磨用パット２の連結構造の一例を示す断面図である。支柱１の先端は、両脇から押潰したように徐々に平板状となっており、その平板状となった箇所の中央部分に支柱固定用の孔１ａが設けられてある。
【００１７】
本発明に係る研磨工具Ｍを成型するに際し、型枠に支柱１を固定し、該型枠に研磨用パット２の原料である合成樹脂やゴムなどを充填して、支柱１と研磨用パット２とが一体となって成型される方法を採用することができる。その際、支柱１の先端に孔１ａを設けることで、その孔１ａに研磨用パット２の原料が流れ込み、型枠に充填した原料とともに支柱１の先端の孔１ａに流れ込んだ原料が固化することで、支柱１が研磨用パット２に保持される格好となって、確実に連結される方法を採ることができる。
【００１８】
また、支柱１と研磨用パット２とを一体成型する方法として、上記以外の方法を採ることも可能である。すなわち、支柱１の先端の形状が研磨用パット２から外れないような形状となっていればよく、例えば、支柱１の先端に支柱１の径よりも大きい径の抵抗物を一体的に形成し、支柱１と研磨用パット２とを一体成型して連結する方法を採用することも可能であり、かかる方法によれば、該抵抗物の存在により、支柱１は研磨用パットから抜け外れることはない。
【００１９】
尚、支柱１と研磨用パット２の連結構造について、上記のように一体成型する方法ではなく、研磨用パット２の成型後において、後から該研磨用パット２に支柱１を接着剤等によって連結する方法を採用することも可能である。
【００２０】
図３は、本発明に係る研磨工具Ｍにおける研磨用パット２の研磨面の状態を示す拡大図である。該研磨面には、砥石４が隙間なく一体保持されている。研磨用パット２を成型するに際して、型枠に該研磨用パット２の原料を充填する前段階において、型枠における研磨用パット２の研磨面に該当する面に該砥石４を敷詰め、その砥石４が敷詰められた型枠に研磨用パット２の原料を充填することで、研磨用パット２の研磨面に該砥石４が一体となって保持される。
【００２１】
砥石４の材質としては、一般に砥石として使用されているものであれば特に限定するものではなく、砂や砂鉄等が一般的に用いられる。尚、本発明に係る研磨工具Ｍに関して、砥石４として工業用ダイヤ粉末を用いることが望ましい。本発明に係る研磨工具Ｍは、原則として使い捨てであり、研磨面における研磨作用の効果がなくなれば該研磨工具Ｍの全てを廃棄し、交換することとなる。したがって、研磨作用の効果が長時間持続する材質の砥石４を用いることが望ましく、そのための砥石４として工業用ダイヤ粉末が最適である。
【００２２】
図４は、本発明に係る研磨工具Ｍにおける研磨用パット２の研磨面に溝３を設けた状態を示す説明図である。該研磨工具Ｍを使用して実際に研磨作業を行う場合に、研磨かすが発生する。その研磨かすを溝３を通過させて研磨工具Ｍの外部へ排出することができるように、研磨用パット２の研磨面に溝３を設けたものである。
【００２３】
該溝３の形状については、直線形状でもよいが、図示されている通り、回転方向から逃げるような流線形状とすることが望ましい。かかる形状とすることにより、発生した研磨かすは、研磨工具Ｍ自体の回転を利用して溝３を通過して研磨工具Ｍの外部へ排出されることとなり、研磨作業によって発生した研磨かすがより効率よく除去される効果がある。
【図面の簡単な説明】
【００２４】
【図１】本発明に係る研磨工具を示す斜視図である。
【図２】本発明に係る研磨工具の支柱と研磨用パットの連結構造の一例を示す断面図である。
【図３】本発明に係る研磨工具における研磨用パットの研磨面の状態を示す拡大図である。
【図４】本発明に係る研磨工具の研磨面の形状を示す説明図である。
【図５】従来の研磨工具を示す斜視図である。
【符号の説明】
【００２５】
１    支柱
１ａ  孔
２    研磨用パット
３    溝
４    砥石
５    研磨材
Ｍ    研磨工具
【図１】
2005212086.tif 000003
【図２】
2005212086.tif 000004
【図３】
2005212086.tif 000005
【図４】
2005212086.tif 000006
【図５】
2005212086.tif 000007